(57)【要約】      （修正有）【課題】アニメーションを連続的に繰り返し再生することができるアニメーション再生装置を提供する。【解決手段】ベース１１とベースに配置される２つの接続手段１２とを有するフレームユニットと、回転軸棒１３から同一の距離を離れて回転軸棒を囲むように、２つの接続手段の間に配置され、回転軸棒を中心に旋回できる複数の接続棒２と、接続手段の上側に配置される上係止部３２と下側に配置される下係止部３３とを有するベゼルユニット３と、接続棒に配置される接続部と接続部から延伸する外部とを有する紙板４と、を備え、紙板の外部は第１の表示面４２１と第２の表示面４２２とを有し、各紙板は、上係止部の裏側に引っ掛かり第１の表示面が表示される第１の表示位置と、下係止部の表側に引っ掛かり第２の表示面が表示される第２の表示位置と、ベゼルユニットに引っ掛からない非表示位置と、を切り替えるように配置される。【選択図】図４
0003226250.tif 000002
【実用新案登録請求の範囲】
【請求項１】
フレームユニットと、所定の第１の方向に沿って延伸している複数の接続棒と、ベゼルユニットと、複数の紙板と、を備えているアニメーション再生装置であって、
前記フレームユニットは、ベースと、前記第１の方向において間隔を開けて前記ベースに配置されている２つの接続手段と、を有しており、
前記２つの接続手段は、それぞれ、前記ベースに配置されている接続本体と、前記第１の方向に平行な所定の軸線を回転中心として、前記接続本体に対して相対回転可能に前記接続本体に配置されている回転部と、を有しており、
前記複数の接続棒は、前記軸線から同一の半径距離を空けて該軸線を囲むように、それぞれの両端がそれぞれ前記２つの接続手段の前記回転部に接続されており、前記軸線を中心に旋回することができ、
前記ベゼルユニットは、前記２つの接続手段の上側に位置するように前記２つの接続手段の前側に配置されている上係止部と、前記２つの接続手段の下側に位置するように前記２つの接続手段の前側に配置されている下係止部と、を有しており、
前記上係止部と前記下係止部との間には、再生ウィンドウが画成されており、
前記複数の紙板は、前記接続棒に配置されている接続部と、前記接続部から延伸している外部と、を有しており、
前記複数の紙板の前記外部は、それぞれ、第１の表示面と、前記第１の表示面の反対側に位置する第２の表示面と、を有しており、
さらに、前記回転部と、前記ベゼルユニットと、各前記接続棒に接続されている前記紙板と、は、
前記回転部の前記軸線を中心とする回転に従って、各前記紙板が、
前記ベゼルユニットの前記上係止部の前記回転部に面する裏側に引っ掛かり、前記第１の表示面が前記再生ウィンドウの中に位置して表示される第１の表示位置と、
前記ベゼルユニットの前記下係止部の前記回転部に面しない表側に引っ掛かり、前記第２の表示面が前記再生ウィンドウの中に位置して表示される第２の表示位置と、
前記ベゼルユニットに引っ掛からずに前記回転部からぶら下がる非表示位置と、の間に切り替えられるように配置構成されている
ことを特徴とするアニメーション再生装置。
【請求項２】
前記ベゼルユニットは、前記上係止部と前記下係止部とを繋ぐ左右一対の固定部をさらに有しており、
前記再生ウィンドウは、前記上係止部と前記下係止部と前記左右一対の固定部により画成されており、
さらに、前記固定部には、固定孔が形成されており、
前記接続本体は、前記固定部に当接されている前側縁と、前記固定孔内に挿入できるように、前記前側縁から突起している固定ブロックと、を有している
ことを特徴とする請求項１に記載のアニメーション再生装置。
【請求項３】
前記下係止部の表面に、所定の文字パターンが形成されている
ことを特徴とする請求項１または請求項２に記載のアニメーション再生装置。
【請求項４】
前記フレームユニットは、前記２つの接続手段の前記接続本体と前記回転部とを貫通し、前記軸線に沿って延伸している回転軸棒をさらに有しており、
前記接続本体には、前記回転軸棒により貫通されている枢接孔が形成されており、
前記２つの接続手段の前記回転部は、それぞれ、前記枢接孔と隣接していると共に、前記回転軸棒により貫通されている貫通孔と、前記軸線と直交し、前記接続棒が接続されている略円形の側面と、を有している
ことを特徴とする請求項１〜３のいずれか一項に記載のアニメーション再生装置。
【請求項５】
前記複数の接続棒が前記軸線を中心に旋回するように、前記回転部を駆動して回転させる駆動手段をさらに具えており、
前記駆動手段は、前記枢接孔に沿って、該枢接孔が対応する前記回転部に対して回転不能に前記回転部に接続されている枢接部と、前記枢接部から、前記軸線と直交する方向に沿って延伸している延伸部と、前記延伸部の延伸した先端から、前記枢接部から離れる方向へ延伸している柄部と、を有している
ことを特徴とする請求項４に記載のアニメーション再生装置。
【請求項６】
前記駆動手段が配置されている前記接続本体には、前記枢接孔と隣り合って、前記駆動手段の前記柄部の推奨操作方向を示す矢印パターンが形成されている
ことを特徴とする請求項５に記載のアニメーション再生装置。
【考案の詳細な説明】
【技術分野】
【０００１】
本考案はアニメーションに関し、具体的には、残像効果を用いてアニメーション効果を生み出すアニメーション再生装置に関する。
【背景技術】
【０００２】
従来のアニメーション再生装置は、複数の紙片を重ねて、紙片を素早くめくることで、紙片をめくる際の残像を利用して、紙片に描かれた絵柄がアニメーションになるように再生することができる。特許文献１には、このようなアニメーション効果を有する冊子装置が提案されている。
【先行技術文献】
【特許文献】
【０００３】
【特許文献１】台湾実用新案第Ｍ２８０９１９号公報
【考案の概要】
【考案が解決しようとする課題】
【０００４】
しかしながら、このようなアニメーション再生装置は、全ての紙片をめくった後、アニメーションをもう一度再生したい場合、紙片を元の状態に戻す必要があるので、操作に手間が掛かる。
【０００５】
したがって、本考案は、アニメーションを連続的に繰り返し再生することができるアニメーション再生装置を提供することを目的とする。
【課題を解決するための手段】
【０００６】
上記目的を達成するための手段として、本考案は、以下のアニメーション再生装置を提供する。
【０００７】
本考案に係るアニメーション再生装置は、
フレームユニットと、所定の第１の方向に沿って延伸している複数の接続棒と、ベゼルユニットと、複数の紙板と、を備えているアニメーション再生装置であって、前記フレームユニットは、ベースと、前記第１の方向において間隔を開けて前記ベースに配置されている２つの接続手段と、を有しており、前記２つの接続手段は、それぞれ、前記ベースに配置されている接続本体と、前記第１の方向に平行な所定の軸線を回転中心として、前記接続本体に対して相対回転可能に前記接続本体に配置されている回転部と、を有しており、前記複数の接続棒は、前記軸線から同一の半径距離を空けて該軸線を囲むように、それぞれの両端がそれぞれ前記２つの接続手段の前記回転部に接続されており、前記軸線を中心に旋回することができ、前記ベゼルユニットは、前記２つの接続手段の上側に位置するように前記２つの接続手段の前側に配置されている上係止部と、前記２つの接続手段の下側に位置するように前記２つの接続手段の前側に配置されている下係止部と、を有しており、前記上係止部と前記下係止部との間には、再生ウィンドウが画成されており、前記複数の紙板は、前記接続棒に配置されている接続部と、前記接続部から延伸している外部と、を有しており、前記複数の紙板の前記外部は、それぞれ、第１の表示面と、前記第１の表示面の反対側に位置する第２の表示面とを有しており、さらに、前記回転部と、前記ベゼルユニットと、各前記接続棒に接続されている前記紙板と、は前記回転部の前記軸線を中心とする回転に従って、各前記紙板が、前記ベゼルユニットの前記上係止部の前記回転部に面する裏側に引っ掛かり、前記第１の表示面が前記再生ウィンドウの中に位置して表示される第１の表示位置と、前記ベゼルユニットの前記下係止部の前記回転部に面しない表側に引っ掛かり、前記第２の表示面が前記再生ウィンドウの中に位置して表示される第２の表示位置と、前記ベゼルユニットに引っ掛からずに前記回転部からぶら下がる非表示位置と、の間に切り替えられるように配置構成されていることを特徴とする。
【考案の効果】
【０００８】
上記構成によれば、本考案に係るアニメーション再生装置は、回転部が所定の方向へ回転すると、両端が回転部に接続されている接続棒が軸線を中心に前記方向へ旋回することにより、接続棒に接続されている紙板も軸線を中心に前記方向へ旋回する。第１の表示位置に位置する紙板の第１の表示面及び第２の表示位置に位置する紙板の第２の表示面が共に再生ウィンドウに画像を形成し、紙板が旋回する際には、紙板が第１の表示位置と第２の表示位置と非表示位置との間に切り替えられることによって、該画像が変化してアニメーションになるように再生することができる。また、接続棒が軸線を中心に旋回するので、回転部を一周回転させた後、接続棒及び紙板が自動的に元の状態に戻ることにより、アニメーション再生装置に対する他の操作を必要とせずにアニメーションをもう一度再生することができる。
【０００９】
本考案は上述の構成によって、アニメーションを連続的に繰り返し再生することができるアニメーション再生装置を提供することができる。
【図面の簡単な説明】
【００１０】
【図１】本考案に係るアニメーション再生装置の一実施形態を示す斜視図である。
【図２】該実施形態を示す正面図である。
【図３】該実施形態の構成を示す分解斜視図である。
【図４】該実施形態の構成を示す断面図である。
【図５】回転部の側面を示す側面図である。
【図６】接続棒及び紙板の構成を示す断面図である。
【図７】紙板の連動関係を説明するための正面図である。
【図８】紙板の連動関係を説明するための正面図である。
【考案を実施するための形態】
【００１１】
以下、本考案に係るアニメーション再生装置の一実施形態について、図面を参照して説明する。
【００１２】
図１は、本実施形態を示す斜視図であり、図２は、本実施形態を示す正面図であり、図３は、本実施形態の構成を示す分解斜視図である。
【００１３】
図１〜図３に示されているように、本実施形態は、フレームユニット１と、所定の第１の方向Ｄ１に沿って延伸している複数の接続棒２と、ベゼルユニット３と、複数の紙板４と、駆動手段５と、を備えている。本実施形態において、フレームユニット１とベゼルユニット３と駆動手段５は、製造コストを低減するために、紙により作成されるが、本考案はこれに限定されず、金属または木材により作成されてもよい。
【００１４】
図４は、本実施形態の構成を示す断面図である。図１と図３と図４に示されているように、フレームユニット１は、ベース１１と、２つの接続手段１２と、回転軸棒１３と、を有している。２つの接続手段１２は、第１の方向Ｄ１において間隔を開けてベース１１に配置されており、それぞれ、ベース１１に配置されている接続本体１２１と、第１の方向Ｄ１に平行な所定の軸線Ｌにより回転中心が貫通されるように、接続本体１２１に対して相対回転可能に接続本体１２１に配置されている回転部１２２と、を有している。回転軸棒１３は、２つの接続手段１２の接続本体１２１と回転部１２２とを貫通し、軸線Ｌに沿って延伸している。
【００１５】
本実施形態において、ベース１１は、長方形を呈しており、ベース１１の長さ方向である第１の方向Ｄ１に沿って延伸している。ベース１１の第１の方向Ｄ１における両端である２つの端部１１１には、それぞれ、ベース１１を貫通する２つの穿設孔１１２が穿設されている。２つの接続本体１２１は、それぞれ、ベース１１の２つの端部１１１に配置されている。具体的には、２つの接続本体１２１は、それぞれ、第１の方向Ｄ１と直交し、高さ方向である第２の方向Ｄ２に沿って延伸している。また、２つの接続本体１２１は、それぞれ、互いに面する内表面１２１２と、内表面１２１２の反対側に位置する外表面１２１１と、内表面１２１２と外表面１２１１とに接続されており、ベース１１に当接されている下端縁１２１３と、ベース１１の穿設孔１１２内に挿入できるように、下端縁１２１３から突起している突起ブロック１２１４と、外表面１２１１と内表面１２１２と下端縁１２１３とに接続されている前側縁１２１５と、後述する固定孔３１１内に挿入できるように、前側縁１２１５から突起している２つの固定ブロック１２１６と、を有している。さらに、接続本体１２１には、回転軸棒１３により貫通される枢接孔１２１７が形成されている。駆動手段５に対応するように、接続本体１２１の外表面１２１１には、枢接孔１２１７と隣り合って、本実施形態の推奨操作方向である反時計回り方向を示す矢印パターン１２１８が形成されている。
【００１６】
図５は、回転部１２２の側面１２２１を示す側面図である。図３〜図５に示されているように、回転部１２２は、円柱状を呈しており、それぞれ、対応する接続本体１２１の内表面１２１２及び枢接孔１２１７と隣接するように配置されている。また、回転部１２２は軸線Ｌを回転中心とするので、回転部１２２は、接続本体１２１に対して軸線Ｌを中心に相対回転することができる。
【００１７】
２つの接続手段１２の回転部１２２は、それぞれ、回転軸棒１３により貫通されており、接続本体１２１の枢接孔１２１７に連通する貫通孔１２２２と、軸線Ｌと直交し、互いに面する略円形の側面１２２１と、側面１２２１から凹設されている複数の接続孔１２２３と、を有している。複数の接続孔１２２３は、軸線Ｌから同一の半径距離を空けて該軸線Ｌを囲むように凹設されている。また、本実施形態において、１つの回転部１２２に形成された接続孔１２２３の数は２０であるが、本考案はこれに限定されず、実際の需求に応じて変更することができる。
【００１８】
回転軸棒１３は、２つの回転部１２２が水平になり、回転部１２２の構造強度及び安定性を向上させるように、接続本体１２１の枢接孔１２１７及び回転部１２２の貫通孔１２２２を貫通する。
【００１９】
図２と図３と図５に示されているように、複数の接続棒２は、軸線Ｌから同一の半径距離を空けて該軸線Ｌを囲むように、それぞれの両端２１がそれぞれ２つの回転部１２２に接続されており、軸線Ｌを中心に旋回することができる。また、各接続棒２の両端２１は、それぞれ、２つの回転部１２２の側面１２２１に接続されている。より詳しくは、接続棒２の両端２１は、それぞれ、対応の回転部１２２の接続孔１２２３内に挿入されている。
【００２０】
図２と図３に示されているように、ベゼルユニット３は、２つの接続手段１２の上側に位置するように２つの接続手段１２の前側に配置されている上係止部３２と、２つの接続手段１２の下側に位置するように２つの接続手段１２の前側に配置されている下係止部３３と、上係止部３２と下係止部３３とを繋ぐ左右一対の固定部３１と、を有している。固定部３１には、互いに間隔を開けた２つの固定孔３１１が形成されている。固定孔３１１には接続本体１２１の固定ブロック１２１６が通され、固定部３１は接続本体１２１の前側縁１２１５に当接している。ベゼルユニット３は、上述のように接続本体１２１の固定ブロック１２１６がベゼルユニット３の固定部３１の固定孔３１１内に挿入されていることにより、接続本体１２１に取り付けられている。また、上係止部３２と下係止部３３との間に、より詳しくは、上係止部３２と下係止部３３と左右一対の固定部３１とにより、再生ウィンドウが画成されている。なお、下係止部３３の表面には、使用者が本実施形態の機能を容易に理解できるように、所定の文字パターン３３１が形成されている。本実施形態において、該文字パターン３３１は、「手動アニメーション装置」と書かれているが、本考案はこれに限定されない。
【００２１】
図６は、接続棒２及び紙板４の構成を示す断面図である。図２と図３と図４と図６に示されているように、複数の紙板４は、接続棒２に配置されている接続部４１と、接続部４１から延伸している外部４２と、を有している。また、本実施形態においては、一枚の紙の中心に接続棒２を配置して、該紙を半分に折って、紙の両端部を互いに接続することにより、紙板４を配置する。また、紙板４の外部４２は、それぞれ、第１の表示面４２１と、第１の表示面４２１の反対側に位置する第２の表示面４２２と、を有している。
【００２２】
さらに、回転部１２２と、ベゼルユニット３と、各接続棒２に接続されている紙板４と、は回転部１２２の軸線Ｌを中心とする回転に従って、各紙板４が、ベゼルユニット３の上係止部３２の回転部１２２に面する裏側に引っ掛かり、第１の表示面４２１が再生ウィンドウの中に位置して表示される第１の表示位置と、ベゼルユニット３の下係止部３３の回転部１２２に面しない表側に引っ掛かり、第２の表示面４２２が再生ウィンドウの中に位置して表示される第２の表示位置と、ベゼルユニット３に引っ掛からずに回転部１２２からぶら下がる非表示位置と、の間に切り替えられるように配置構成されている。
【００２３】
また、紙板４の第１の表示面４２１には、第１のパターン４２１１が描かれており、紙板４の第２の表示面４２２には、第２のパターン４２２１が描かれている。再生ウィンドウに示されるのは、第１の表示位置に位置する紙板４の第１の表示面４２１の第１のパターン４２１１と、第２の表示位置に位置する紙板４の第２の表示面４２２の第２のパターン４２２１と、が互いに隣接して共に形成する画像である。例えば図示（図２）のように、第１のパターン４２１１は、人物の上半身であり、第２のパターン４２２１は、人物の下半身と机である。この場合、再生ウィンドウに示される画像は、該第１のパターン及び該第２のパターンが共に形成する、人物と机を含む画像である。また、図示の例では、隣接する２つの紙板４の第１のパターン４２１１の間には、少しの変化がある（例えば、まぶたの位置の変化）が、各紙板４の第２のパターン４２２１の間には変化がない。これにより、回転部１２２が回転するとき、使用者は、視覚の残像効果により再生ウィンドウに示される画像がアニメーションになるように観察することができる。また、本実施形態においては、図示のように、隣接する２つの紙板４に描かれるパターンの変化は、第１の表示面４２１にのみ描かれているが、本考案はこれに限定されず、第２の表示面４２２にのみ又は両方に描かれてもよい。
【００２４】
図２と図３に示されているように、駆動手段５は、複数の接続棒２が軸線Ｌを中心に旋回するように、回転部１２２を駆動して回転させる。
【００２５】
より詳しく言うと、駆動手段５は、矢印パターン１２１８と隣り合う枢接孔１２１７に沿って、該枢接孔１２１７が対応する回転部１２２に対して回転不能に回転部１２２に接続されている枢接部５１と、枢接部５１から、軸線Ｌと直交する方向に沿って延伸している延伸部５２と、延伸部５２の延伸した先端から、枢接部５１から離れる方向へ延伸している柄部５３と、を有している。駆動手段５の枢接部５１が回転部１２２に対して回転不能に接続されているので、駆動手段５の柄部５３を駆動すると、延伸部５２及び枢接部５１を介して、回転部１２２が共に回転する。また、本実施形態において、駆動手段５は、枢接部５１が回転部１２２と係合して接続され、枢接部５１と延伸部５２と柄部５３とが互いに係合して接続されることにより、駆動手段５を複数のパーツに分解することができる。そのため、本実施形態を容易に収納することができる。
【００２６】
また、図２と図４に示されているように、本実施形態を使用するときには、駆動手段５を介して、枢接部５１に接続されている回転部１２２を回転させると、該回転部１２２に接続されている接続棒２を介して、もう１つの回転部１２２が共に回転する。これにより、接続棒２が軸線Ｌを中心に反時計回り方向へ回転することにつれて、接続棒２に配置されている紙板４は、共に反時計回り方向へ回転する。各紙板４が反時計回り方向へ回転すると、紙板４は、ベゼルユニット３の上係止部３２の裏側に引っ掛かり、第１の表示面４２１が再生ウィンドウの中に位置して第１のパターン４２１１が表示される前記第１の表示位置と、ベゼルユニット３の下係止部３３の表側に引っ掛かり、第２の表示面４２２が再生ウィンドウの中に位置して第２のパターン４２２１が表示される前記第２の表示位置と、ベゼルユニット３に引っ掛からずに回転部１２２からぶら下がる前記非表示位置と、の間に切り替わる。本実施形態の最初の状態においては、紙板４Ａが、前記第１の表示位置に位置しており、紙板４Ｂが、前記第２の表示位置に位置している。紙板４Ａの第１の表示面４２１の第１のパターン４２１１は、まぶたが開いている人物の上半身が描かれており、各紙板４の第２の表示面４２２の第２のパターン４２２１は、該人物の下半身と机とが描かれている。再生ウィンドウに示される画像は、まぶたが開いている女の子が机の後に座っている画像である。
【００２７】
図７と図８は、複数の紙板４間の連動関係を説明するための正面図である。
【００２８】
図４と図７に示されているように、駆動手段５を駆動して回転部１２２を回転させると、前記第２の表示位置に位置していた紙板４Ｂは、下係止部３３を通過して、下係止部３３に引っ掛からずに回転部１２２からぶら下がるようになり、つまり、紙板４Ｂは、前記第２の表示位置から前記非表示位置へ切り替わる。一方、前記第１の表示位置に位置していた紙板４Ａは、上係止部３２を通過し、第２の表示部４２２が示されるように下係止部３３の表側に引っかかりようになり、つまり、紙板４Ａは、前記第１の表示位置から前記第２の表示位置へ切り替わる。一方、前記非表示位置に位置していた、紙板４Ａと隣接する紙板４Ｃは、上係止部３２の裏側に引っ掛かり、前記第１の表示位置へ切り替わる。また、紙板４Ｃの第１のパターン４２１１は、まぶたが半分閉じている女の子の上半身が描かれており、再生ウィンドウに示される画像は、まぶたが開いている女の子からまぶたが半分閉じている女の子に変化する。駆動手段５をさらに駆動して回転部１２２を回転させると、上述したように、再生ウィンドウに示される画像がさらに変化し、図８に示されているように、まぶたが半分閉じている女の子からまぶたが完全に閉じている女の子に変化する。
【００２９】
使用者が本実施形態の駆動手段５を駆動して回転部１２２を反時計回り方向へすばやく回転させると、使用者は、画像が順次に再生ウィンドウに再生されることにより、視覚の残像効果を利用して、上述した３つの画像をアニメーションとして観察することができる。つまり、女の子がまぶたを閉じる動作を連続的に観察することができる。
【００３０】
なお、本考案において、理想では上係止部３２及び下係止部３３に引っ掛けられている紙板４の数はそれぞれ１つであるが、実際の構造及び紙板４の可撓性によって、ベゼルユニット３の上係止部３２の裏側に複数の紙板４が引っ掛けられることもあり、この場合、第１の表示位置に位置するのは、第１の表示面４２１が他の紙板４に遮蔽されずに再生ウィンドウに表示される紙板４のみである。また、ベゼルユニット３の下係止部３３の表側に複数の紙板４が引っ掛けられることもあり、この場合、第２の表示位置に位置するのは、第２の表示面４２２が他の紙板４に遮蔽されずに再生ウィンドウに表示される紙板４のみである。
【００３１】
以上のような構成とされた実施形態によれば、本考案に係るアニメーション再生装置は、回転部１２２が駆動手段５の駆動につれて反時計回り方向へ回転すると、両端２１が回転部１２２に接続されている接続棒２が軸線Ｌを中心に反時計回り方向へ旋回することにより、接続棒２に接続されている紙板４も軸線Ｌを中心に反時計回り方向へ旋回する。また、前記第１の表示位置に位置する紙板４の第１の表示面４２１及び前記第２の表示位置に位置する紙板４の第２の表示面４２２にそれぞれ描かれているパターンが共に再生ウィンドウに画像を形成し、紙板４が旋回する際には、紙板４が前記第１の表示位置と前記第２の表示位置と前記非表示位置との間に切り替えられることによって、該画像が変化してアニメーションになるように観察することができる。また、接続棒２が軸線Ｌを中心に旋回するので、回転部１２２を一周回転させて、アニメーションを再生した後、接続棒２及び紙板４が自動的に元の状態に戻ることにより、アニメーション再生装置は、他の操作を必要とせずにアニメーションをもう一度再生することができる。そのため、アニメーション再生装置は、アニメーションを連続的に繰り返し再生することが容易にできる。
【００３２】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００３３】
本考案に係るアニメーション再生装置は、連続的にアニメーションを再生することができるので、アニメーションが視覚の残像効果により作られることを子供に教えるための玩具として様々な応用が可能である。
【符号の説明】
【００３４】
１  フレームユニット
１１  ベース
１１１  端部
１１２  穿設孔
１２  接続手段
１２１  接続本体
１２１１      外表面
１２１２      内表面
１２１３      下端縁
１２１４  突起ブロック
１２１５  前側縁
１２１６  固定ブロック
１２１７  枢接孔
１２１８      矢印パターン
１２２  回転部
１２２１  側面
１２２２  貫通孔
１２２３      接続孔
１３  回転軸棒
２  接続棒
２１  両端
３  ベゼルユニット
３１      定部
３１１  固定孔
３２  上係止部
３３      係止部
３３１  文字パターン
４  紙板
４１      接続部
４２      外部
４２１  第１の表示面
４２１１  第１のパターン
４２２  第２の表示面
４２２１      第２のパターン
５  駆動手段
５１  枢接部
５２      延伸部
５３  柄部
Ｌ  軸線
Ｄ１  第１の方向
Ｄ２  第２の方向
【図１】
0003226250.tif 000003
【図２】
0003226250.tif 000004
【図３】
0003226250.tif 000005
【図４】
0003226250.tif 000006
【図５】
0003226250.tif 000007
【図６】
0003226250.tif 000008
【図７】
0003226250.tif 000009
【図８】
0003226250.tif 000010